(57)【要約】【課題】電子番組表画面の使い勝手を向上する。【解決手段】電子番組表情報に基づいて生成した番組情報一覧画面を、リモートコントロール装置から投影対象に投影表示するとともに、当該番組情報一覧画面上でカーソルによって選択された番組情報についての詳細情報を、リモートコントロール装置に設けられた詳細情報表示手段に表示するようにしたことにより、テレビジョン放送受信装置によるテレビジョン映像の表示を妨げることなく、当該テレビジョン映像、番組情報一覧画面及び詳細情報を同時に表示する。【選択図】        図２
2004363930.tif 000002
【特許請求の範囲】
【請求項１】
テレビジョン放送受信装置と、当該テレビジョン放送受信装置を遠隔制御するリモートコントロール装置とからなるテレビジョン放送受信システムであって、
上記リモートコントロール装置は、
上記テレビジョン放送受信装置を遠隔制御する遠隔制御手段と、
所定の電子番組表提供手段から供給されるテレビジョン放送についての電子番組表情報を取得する電子番組表情報取得手段と、
上記取得した電子番組表情報に基づいて、複数の番組それぞれについての番組情報を一覧表示する情報一覧画面を生成し、投影対象に投影する一覧画面投影手段と、
上記情報一覧画面上に表示されるカーソルによって選択された上記番組情報についての詳細情報を表示する詳細情報表示手段とを具える
ことを特徴とするテレビジョン放送受信システム。
【請求項２】
上記テレビジョン放送受信装置は、上記電子番組表提供手段から上記電子番組表情報を取得し、
上記電子番組表情報取得手段は、上記テレビジョン放送受信装置が取得した上記電子番組表情報を当該テレビジョン放送受信装置から取得する
ことを特徴とする請求項１に記載のテレビジョン放送受信システム。
【請求項３】
電子機器を遠隔制御するリモートコントロール装置であって、
上記電子機器を遠隔制御する遠隔制御手段と、
上記電子機器の制御に関する情報を一覧表示する情報一覧画面を生成して投影対象に投影する一覧画面投影手段と、
上記情報一覧画面上に表示されるカーソルによって選択された上記制御情報についての詳細情報を表示する詳細情報表示手段と
を具えることを特徴とするリモートコントロール装置。
【請求項４】
上記電子機器はテレビジョン放送受信装置でなり、
上記リモートコントロール装置は、所定の電子番組表提供手段から供給されるテレビジョン放送についての電子番組表情報を取得する電子番組表情報取得手段を具え、
上記一覧画面投影手段は、上記取得した電子番組表情報に基づいて、複数の番組それぞれ番組についての番組情報を一覧表示する上記情報一覧画面を生成して上記投影対象に投影し、
上記詳細情報表示手段は、上記情報一覧画面上に表示される上記カーソルによって選択された上記番組情報についての詳細情報を表示する
ことを特徴とする請求項３に記載のリモートコントロール装置。
【請求項５】
上記電子番組表情報取得手段は、上記テレビジョン放送受信装置が取得した上記電子番組表情報を当該テレビジョン放送受信装置から取得する
ことを特徴とする請求項４に記載のリモートコントロール装置。
【請求項６】
所定の電子番組表提供手段から取得した電子番組表情報に基づいて、複数の番組それぞれについての番組情報を一覧表示する番組情報一覧画面を生成し、
当該番組情報一覧画面を投影対象に投影し、
上記番組情報一覧画面上に表示されるカーソルによって選択された上記番組情報についての詳細情報を、所定の詳細情報表示手段に表示する
ことを特徴とする番組情報表示方法。
【発明の詳細な説明】
【０００１】
【発明の属する技術分野】
本発明はテレビジョン放送受信システム、リモートコントロール装置及び番組情報表示方法に関し、例えばテレビジョン放送の電子番組表を表示する場合に適用して好適なものである。
【０００２】
【従来の技術】
従来テレビジョン放送において、放送される番組の番組名や放送時間、番組のジャンル等の番組情報を記述したＥＰＧ（Ｅｌｅｃｔｒｏｎｉｃ  Ｐｒｏｇｒａｍ  Ｇｕｉｄｅ：電子番組表）データが提供されている。このＥＰＧデータは、テレビジョン放送波のブランキング区間に多重化されて送信されたり、ディジタル衛星放送の特定チャンネルを介して１日に数回所定時間に送信されたり、あるいはインターネット上のサーバから供給される等、様々な方法を用いて提供されている。
【０００３】
テレビジョン受像機は、ＥＰＧデータがテレビジョン放送波に多重化されて提供されている場合、受信したテレビジョン放送波からＥＰＧデータを抽出して蓄積する。そしてテレビジョン受像機はユーザの呼び出し操作に応じて、各チャンネルの番組情報を一覧表示する電子番組表画面（以下、これをＥＰＧ画面と呼ぶ）を、蓄積したＥＰＧデータに基づいて表示するようになされている。
【０００４】
ところが従来のテレビジョン受像機においては、上述したＥＰＧ画面をテレビジョン放送映像に重畳して表示するため、当該ＥＰＧ画面を表示することによってテレビジョン放送映像を視認し得なくなるという問題があった。
【０００５】
かかる問題を解決するため、例えばＬＣＤ（Ｌｉｑｕｉｄ  Ｃｒｙｓｔａｌ  Ｄｉｓｐｌａｙ）等の表示手段をテレビジョン受像機のリモートコントロール装置に設けておき、ＥＰＧデータをテレビジョン受像機からリモコンに転送して、当該リモートコントロール装置の表示手段にＥＰＧ画面を表示することにより、ＥＰＧ画面及びテレビジョン放送映像の双方を同時に視認し得るようになされたものがある（例えば、特許文献１参照）。
【０００６】
【特許文献１】
特開２００３−３２５０９公報
【０００７】
【発明が解決しようとする課題】
ところが実際上、リモートコントロール装置に設けることのできる表示手段の大きさには限りがあり、このためＥＰＧ画面を当該表示手段で表示する場合、ＥＰＧデータのうちの一部の情報しか表示することができず、ＥＰＧ画面の使い勝手が低下してしまうという問題があった。
【０００８】
本発明は以上の点を考慮してなされたもので、従来に比してさらに使い勝手を向上したテレビジョン放送受信システム、リモートコントロール装置及び番組情報表示方法を提案しようとするのである。
【０００９】
【課題を解決するための手段】
かかる課題を解決するため本発明においては、テレビジョン放送受信装置と当該テレビジョン放送受信装置を遠隔制御するリモートコントロール装置とからなるテレビジョン放送受信システムにおいて、テレビジョン放送受信装置を遠隔制御する遠隔制御手段と、所定の電子番組表提供手段から供給されるテレビジョン放送についての電子番組表情報を取得する電子番組表情報取得手段と、取得した電子番組表情報に基づいて、複数の番組それぞれについての番組情報を一覧表示する情報一覧画面を生成し投影対象に投影する一覧画面投影手段と、情報一覧画面上に表示されるカーソルによって選択された上記番組情報についての詳細情報を表示する詳細情報表示手段とをリモートコントロール装置に設けた。
【００１０】
電子番組表情報に基づいて生成した情報一覧画面を、リモートコントロール装置から投影して表示するとともに、当該情報一覧画面上でカーソルによって選択された番組情報についての詳細情報を、リモートコントロール装置に設けられた詳細情報表示手段に表示するようにしたことにより、テレビジョン放送受信装置によるテレビジョン映像の表示を妨げることなく、当該テレビジョン映像、情報一覧画面及び詳細情報を同時に表示して、電子番組表画面の使い勝手を向上することができる。
【００１１】
【発明の実施の形態】
以下図面について、本発明の一実施の形態を詳述する。
【００１２】
（１）テレビジョン装置の全体構成
図１は、本発明を適用したテレビジョン放送受信システムとしてのテレビジョン装置１の構成を示し、テレビジョン放送受信装置としてのテレビジョン受像機２と、当該テレビジョン受像機２を遠隔制御するためのリモートコントロール装置（以下、これをリモコンと呼ぶ）３とで構成される。
【００１３】
テレビジョン受像機２のテレビ側制御部４は、ユーザによる操作入力に応じて操作部５から供給される制御信号Ｄ１、又は無線送受信部６を介して受信したリモコン３からの制御信号Ｄ２に応じて、テレビジョン受像機２全体を制御する。
【００１４】
放送受信部７はテレビ側制御部４の制御に応じて、放送局や放送衛星から送信されるテレビジョン放送波を受信アンテナ１０を介して受信し、当該受信したテレビジョン放送波を復調することにより得られたテレビジョン映像１００を、例えばＣＲＴ（Ｃａｔｈｏｄｅ  Ｒａｙ  Ｔｕｂｅ）やＬＣＤ等でなる映像表示部８に表示する（図２）。このとき電子番組表情報抽出手段としての放送受信部７は、電子番組表情報提供手段としての放送局や放送衛星が提供するＥＰＧデータＤ３を抽出してテレビ側制御部４に供給する。
【００１５】
テレビ側制御部４は、放送受信部７から供給されるＥＰＧデータＤ３をメモリ９に蓄積する。そしてテレビ側制御部４は、無線送受信部６を介して受信したリモコン３からのＥＰＧデータ送信依頼信号Ｄ４に応じて、メモリ９からＥＰＧデータＤ３を読み出し、これを無線送受信部６を介してリモコン３に送信する。
【００１６】
リモコン３の、遠隔制御手段としてのリモコン側制御部１１は、ユーザによる操作入力に応じて操作部１２から供給される制御信号Ｄ２を、無線送受信部１３を介してテレビジョン受像機２に送信することにより、当該テレビジョン受像機２の受信チャンネル選択や電源のＯＮ／ＯＦＦ等の各種動作を遠隔制御する。
【００１７】
またリモコン側制御部１１は、操作部１２のＥＰＧデータ取得ボタン１２Ａ（図２）に対する押下操作に応じて、上述したＥＰＧデータ送信依頼信号Ｄ４を無線送受信部１３を介してテレビジョン受像機２に送信する。そしてリモコン側制御部１１は、テレビジョン受像機２が当該ＥＰＧデータ送信依頼信号Ｄ４に応じて送信したＥＰＧデータＤ３を、電子番組表情報取得手段としての無線送受信部１３を介して受信し、メモリ１４に蓄積する。
【００１８】
さらにリモコン側制御部１１は、操作部１２のＥＰＧ表示ボタン１２Ｂ（図２）（図示せず）が押下されると、これに応じてメモリ１４に蓄積したＥＰＧデータＤ３を読み出す。
【００１９】
そしてリモコン側制御部１１は、読み出したＥＰＧデータＤ３に基づいて、複数チャンネルについての番組情報を一覧表示するためのＥＰＧ一覧表示データＤ５を生成し、これを投影表示部１６に入力する。
【００２０】
投影表示部１６は例えば透過型液晶プロジェクタでなり、この場合、入力されたＥＰＧ一覧表示データＤ５に基づく表示画像を内蔵する透過型液晶ディスプレイ（図示せず）に表示し、さらに、当該透過型液晶ディスプレイを背面から照明して得られる表示光を、複数枚のレンズで構成される光学系（図示せず）を介して拡大投影する。
【００２１】
これにより一覧画面投影手段としての投影表示部１６は、図２に示すように、ユーザによって指向された壁面やスクリーン、あるいは机等の任意の投影面１０２に対し、複数チャンネルの放送予定番組を一覧表示する情報一覧画面としてのＥＰＧ一覧表示画面１０１を投影表示する。
【００２２】
図３はＥＰＧ一覧表示画面１０１の画面構成の一例を示し、画面の横軸方向がテレビジョン放送の各チャンネル１０３Ａ〜１０３Ｅに対応しているとともに、画面の縦軸方向が放送時間に対応しており、各チャンネル１０２Ａ〜１０２Ｅで放送される番組それぞれを表す複数の番組表示枠１０４が、それぞれの放送チャンネル及び放送時間に対応する位置に表示されている。この番組表示枠１０４の中には番組名が表示される。
【００２３】
これに加えてＥＰＧ一覧表示画面１００には、番組を選択するためのカーソル１０５が番組表示枠１０４の一つに重ねて表示されており、リモコン３のカーソル移動ボタン１２Ｃ（図２）を上下左右に押下操作することにより、当該カーソル１０５を移動させて任意の番組に対応する番組表示枠１０４を選択し（選択操作）、さらに決定ボタン１２Ｄを押下することにより、選択した番組を決定し得るようになされている（決定操作）。さらに、カーソル１０５がＥＰＧ一覧表示画面１００の外方に移動操作され、かつ当該カーソル１０５の移動方向に更なる番組情報が存在する場合、リモコン側制御部１１はＥＰＧ一覧表示画面１０１をカーソル１０５の移動方向にスクロールし、現在表示されていない番組情報（例えばＣＨ６、ＣＨ７、……の番組情報や、１１：００−１２：００、……の番組情報等）を新たに表示するようになされている。
【００２４】
そしてリモコン３のリモコン側制御部１１は、ＥＰＧ一覧表示画面１０１を投影表示した状態において、カーソル１０５で選択中の番組表示枠１０４に対応する番組についての詳細情報をＥＰＧデータＤ３から抽出し、当該選択された番組の詳細情報でなるＥＰＧ詳細表示データＤ６を生成して表示部１５に入力する。
【００２５】
詳細情報表示手段としての表示部１５は、例えば液晶ディスプレイでなり、入力されたＥＰＧ詳細表示データＤ５に基づいて図４に示すＥＰＧ詳細表示画面１０６を表示する。このＥＰＧ詳細表示画面１０６においては、選択された番組についてのチャンネル番号１０６Ａ、放送予定時間１０６Ｂ、番組名１０６Ｃ、番組内容１０６Ｄ、番組出演者１０６Ｅ、番組ジャンル情報１０６Ｆ等の詳細情報が表示される。
【００２６】
このようにしてリモコン側制御部１１は、複数チャンネルについての番組を一覧表示するＥＰＧ一覧表示画面１０１を任意の投影面１０２に対して投影表示すると同時に、当該ＥＰＧ一覧表示画面１０１上でカーソル１０５によって選択された番組についての詳細情報を、表示部１５に表示する。
【００２７】
そしてリモコン側制御部１１は、決定ボタン１２Ｄに対する押下操作（決定操作）に応じて、選択された番組を選局（当該番組が放送中の場合）あるいは選局予約（当該番組が未放送の場合）するための制御信号Ｄ２を生成し、無線送受信部１３を介してテレビジョン受像機２に送信する。
【００２８】
さらにリモコン側制御部１１は、ＥＰＧ一覧表示画面１０１及びＥＰＧ詳細表示画面１０６を表示している状態でＥＰＧ表示ボタン１２Ｂが再押下されると、これに応じて当該ＥＰＧ一覧表示画面１０１及びＥＰＧ詳細表示画面１０６の表示を終了する。
【００２９】
（２）ＥＰＧ表示処理手順
次に、リモコン側制御部１１が上述したＥＰＧ一覧表示画面１０１及びＥＰＧ詳細表示画面１０６を表示するためのＥＰＧ表示処理手順を、図５に示すフローチャートを用いて詳細に説明する。
【００３０】
リモコン３のリモコン側制御部１１は、ＥＰＧ表示処理手順ＲＴ１の開始ステップから入って次のステップＳＰ１に移る。ステップＳＰ１においてリモコン側制御部１１は、ＥＰＧ表示ボタン１２Ｂに対する押下操作を待ち受け、当該ＥＰＧ表示ボタン１２Ｂが押下操作されたことを検出すると、次のステップＳＰ２に移る。
【００３１】
ステップＳＰ２においてリモコン側制御部１１は、メモリ１４からＥＰＧデータＤ３を読み出して次のステップＳＰ３に移る。ステップＳＰ３においてリモコン側制御部１１は、ＥＰＧ一覧表示データＤ５を生成して投影表示部１６に入力することにより、ＥＰＧ一覧表示画面１０１を投影表示し、次のステップＳＰ４に移る。
【００３２】
ステップＳＰ４においてリモコン側制御部１１は、ＥＰＧ一覧表示画面１００上でカーソル１０５によって選択されている番組についての詳細情報を示すＥＰＧ詳細表示画面１０６を表示部１５に表示し、次のステップＳＰ５に移る。
【００３３】
ステップＳＰ５において、リモコン側制御部１１は、カーソル移動ボタン１２Ｃに対する押下操作の有無を判断する。
【００３４】
ステップＳＰ５においてカーソル移動ボタン１２Ｃに対する押下操作を検出した場合、リモコン側制御部１１はステップＳＰ６に移り、当該押下操作に応じてカーソル１０５を移動表示した後ステップＳＰ４に戻り、新たにカーソル１０５によって選択された番組についてのＥＰＧ詳細表示画面１０６を表示部１５に表示する。これに対して、ステップＳＰ５においてカーソル移動ボタン１２Ｃに対する押下操作を検出しなかった場合、リモコン側制御部１１はステップＳＰ７に移る。
【００３５】
ステップＳＰ７において、リモコン側制御部１１は、決定ボタン１２Ｄに対する押下操作の有無を判断する。
【００３６】
ステップＳＰ７において決定ボタン１２Ｄに対する押下操作を検出しなかった場合、リモコン側制御部１１はステップＳＰ９に移る。これに対して、ステップＳＰ７において決定ボタン１２Ｄに対する押下操作を検出した場合、リモコン側制御部１１はステップＳＰ８に移り、カーソル１０５によって選択されている番組を選局あるいは選局予約をするための制御信号Ｄ２をテレビジョン受像機２に送信し、次のステップＳＰ９に移る。
【００３７】
ステップＳＰ９において、リモコン側制御部１１は、ＥＰＧ表示ボタン１２Ｂに対する押下操作の有無を再び判断する。
【００３８】
ステップＳＰ９においてＥＰＧ表示ボタン１２Ｂに対する押下操作を検出しなかった場合、リモコン側制御部１１はステップＳＰ５に戻り、再度ステップＳＰ５〜ＳＰ９を繰り返す。これに対して、ステップＳＰ９においてＥＰＧ表示ボタン１２Ｂに対する押下操作を検出した場合、リモコン側制御部１１は次のステップＳＰ１０に移り、ＥＰＧ一覧表示画面１０１及びＥＰＧ詳細表示画面１０６の表示を終了した後、ステップＳＰ１に戻ってＥＰＧ表示ボタン１２Ｂに対する押下操作を再度待ち受ける。
【００３９】
（３）動作及び効果
以上の構成において、リモコン３のリモコン側制御部１１は、テレビジョン受像機２から受信したＥＰＧデータＤ３をメモリ１４に蓄積する。
【００４０】
そしてリモコン側制御部１１は、ＥＰＧ表示ボタン１２Ｂに対する押下操作に応じて、蓄積したＥＰＧデータＤ３に基づいて生成したＥＰＧ一覧表示画面１０１を壁等の投影面１０２に投影表示するとともに、当該ＥＰＧ一覧表示画面１０１上でカーソル１０５によって選択された番組の詳細情報を示すＥＰＧ詳細表示画面１０６を表示部１５に表示する。
【００４１】
このためテレビジョン装置１は、テレビジョン受像機２におけるテレビジョン映像１００の表示を妨げることなくＥＰＧ一覧表示画面１０１及びＥＰＧ詳細表示画面１０６を表示することができ、これによりユーザはテレビジョン映像１００を視聴しながらＥＰＧ一覧表示画面１０１を介して各種番組情報を取得することができる。
【００４２】
またテレビジョン装置１は、ＥＰＧ一覧表示画面１０１を投影表示部１６を介して投影表示することにより、当該ＥＰＧ一覧表示画面１０１をリモコンの表示部１５に表示する場合に比べて大画面で表示することができ、これにより一段と多くの情報をＥＰＧ一覧表示画面１０１に表示することができる。
【００４３】
さらにテレビジョン装置１は、投影表示したＥＰＧ一覧表示画面１０１上で選択された番組についてのＥＰＧ詳細表示画面１０６をリモコン３の表示部１５に表示することにより、ＥＰＧ一覧表示画面１０１を表示しながら、当該選択された番組についての詳細情報を、ユーザの手元にあるリモコン３の表示部１５を介して当該ユーザに確実に認識させることができる。
【００４４】
またテレビジョン装置１は、リモコン３がテレビジョン受像機２からＥＰＧデータＤ３を取得し、当該リモコン３がＥＰＧ一覧表示画面１０１及びＥＰＧ詳細表示画面１０６を表示することにより、テレビジョン受像機２の電源が投入されていない状態においても、ＥＰＧ一覧表示画面１０１及びＥＰＧ詳細表示画面１０６を介して各種番組情報の確認や選局予約等の操作をユーザに容易に行わせることができる。
【００４５】
以上の構成によれば、ＥＰＧデータＤ３をテレビジョン受像機２からリモコン３に転送し、リモコン３が当該ＥＰＧデータＤ３に基づいてＥＰＧ一覧表示画面１０１を投影表示するとともに、当該ＥＰＧ一覧表示画面１０１上でカーソル１０５によって選択された番組についてのＥＰＧ詳細表示画面１０６をリモコン３の表示部１５に表示するようにしたことにより、テレビジョン映像１００と、ＥＰＧ一覧表示画面１０１と、ＥＰＧ詳細表示画面１０６とを同時に表示することができ、テレビジョン装置１におけるＥＰＧ画面の使い勝手を格段に向上することができる。
【００４６】
（４）他の実施の形態
なお上述の実施の形態においては、ＥＰＧデータＤ３をテレビジョン受像機２からリモコン３に無線を介して転送するようにしたが、本発明はこれに限らず、赤外線を介してＥＰＧデータＤ３を転送するようにしたり、あるいはメモリカードを挿着するためのメモリカードインターフェースをテレビジョン受像機２及びリモコン３に設けておき、当該メモリカードを介してＥＰＧデータＤ３を転送するようにしてもよい。
【００４７】
また上述の実施の形態においては、リモコン３のＥＰＧデータ取得ボタン１２Ａに対する押下操作に応じて、リモコン側制御部１１がテレビジョン受像機２からＥＰＧデータＤ３を取得するようにしたが、本発明はこれに限らず、リモコン３の電源投入に応じてテレビジョン受像機２からＥＰＧデータＤ３を取得したり、あるいはテレビジョン受像機２が新たなＥＰＧデータＤ３を取得した都度、自動的にＥＰＧデータＤ３をリモコン３に送信する等、種々のタイミングでリモコン３がＥＰＧデータＤ３を取得するようにしてもよい。
【００４８】
また上述の実施の形態においては、投影表示部１６に透過型液晶プロジェクタを用いた場合について述べたが、本発明はこれに限らず、反射型液晶プロジェクタやＤＭＤ（Ｄｉｇｉｔａｌ  Ｍｉｒｒｏｒ  Ｄｅｖｉｃｅ  ）等、種々の投影表示装置を投影表示部１６に適用することができる。
【００４９】
また上述の実施の形態においては、ＥＰＧデータＤ３をテレビジョン受像機２からリモコン３に転送するようにしたが、本発明はこれに限らず、リモコン３に携帯電話機の送受信機能を設けておき、例えば放送局やインターネット上のＥＰＧデータを提供しているサイト等の電子番組表提供手段から、当該ＥＰＧデータを直接取得するようにしてもよい。
【００５０】
また上述の実施の形態においては、リモコン３が一覧画面投影手段としての投影表示部１６及び詳細情報表示手段としての表示部１５を介して電子番組表を表示するようにしたが、本発明はこれに限らず、他の様々な表示画面を投影表示部１６及び表示部１５を介して表示するようにしてもよい。
【００５１】
例えば、テレビジョン放送受信装置のような複雑な機能を有する電子機器のリモコンにおいて、当該電子機器の操作や設定を行うための機能メニュー画面を投影表示部を介して投影表示するとともに、当該機能メニュー画面上で選択されたメニュー項目に対応する操作や設定の詳細情報をリモコンに設けた表示部に表示するようにすれば、ユーザが電子機器の説明書を参照する必要を無くし、当該電子機器の操作性を格段に向上することができる。
【００５２】
さらに上述の実施の形態においては、本発明をテレビジョン放送受信装置としてのテレビジョン受像機２に適用した場合について述べたが、本発明はこれに限らず、衛星放送のチューナやセットトップボックス等の、映像表示部を持たないテレビジョン放送受信装置にも本発明を適用することができる。
【００５３】
このような映像表示部を持たないテレビジョン放送受信装置は、受信したテレビジョン放送を復調してテレビジョン映像信号を生成し、当該テレビジョン映像信号を出力信号としてモニタやビデオテープレコーダに出力する。そして、従来の映像表示部を持たないテレビジョン放送受信装置では、ＥＰＧ画面がテレビジョン映像に重畳して出力されるため、接続したビデオテープレコーダでテレビジョン映像を録画している時にＥＰＧ画面を表示させると、当該ＥＰＧ画面が録画されてしまうという問題がある。
【００５４】
これに対して、このような映像表示部を持たないテレビジョン放送受信装置に本発明を適用した場合、リモコン自体がＥＰＧ画面を表示するため、ＥＰＧ画面がテレビジョン映像に重畳されることを回避して当該ＥＰＧ画面が録画されることを防止することができる。
【００５５】
さらには、録画機能付きテレビジョン受像機やハードディスクレコーダー等の各種テレビジョン放送録画装置に本発明を適用することもできる。この場合、上述した選局や選局予約に加え、テレビジョン放送の録画予約をＥＰＧ一覧表示画面１０１及びＥＰＧ詳細表示画面１０上で行うことにより、テレビジョン放送録画装置本体の電源が投入されていない状態においても、当該ＥＰＧ一覧表示画面１０１及びＥＰＧ詳細表示画面１０６を介して録画予約操作や録画予約内容（予約時間やチャンネル、予約番組の番組内容やあらすじ等）の確認をユーザに容易に行わせることができる。
【００５６】
【発明の効果】
上述のように本発明によれば、電子番組表情報に基づいて生成した番組情報一覧画面をリモートコントロール装置から投影表示するとともに、当該番組情報一覧画面上でカーソルによって選択された番組情報についての詳細情報を、リモートコントロール装置に設けられた詳細情報表示手段に表示するようにしたことにより、テレビジョン放送受信装置によるテレビジョン映像の表示を妨げることなく、当該テレビジョン映像、番組情報一覧画面及び詳細情報を同時に表示して、使い勝手を向上することができる。
【図面の簡単な説明】
【図１】本発明によるテレビジョン装置の構成を示すブロック図である。
【図２】ＥＰＧ画面の表示状態を示す略線図である。
【図３】ＥＰＧ一覧表示画面の構成を示す略線図である。
【図４】ＥＰＧ詳細表示画面の構成を示す略線図である。
【図５】ＥＰＧ画面表示処理手順を示すフローチャートである。
【符号の説明】
１……テレビジョン装置、２……テレビジョン受像機、３……リモコン、４……テレビ側制御部、５……操作部、６……無線送受信部、７……放送受信部、８……映像表示部、９……メモリ、１０……受信アンテナ、１１……リモコン側制御部、１２……操作部、１３……無線送受信部、１４……メモリ、１５……表示部、１６……投影表示部。
【図１】
2004363930.tif 000003
【図２】
2004363930.tif 000004
【図３】
2004363930.tif 000005
【図４】
2004363930.tif 000006
【図５】
2004363930.tif 000007